(57)【要約】      （修正有）【課題】テープをケースに入れたまま、あるいは、ケースから抜いてその後端側を跳ね上げて直尺のように扱える軽くて測定しやすい、そして、携帯や保管に便利な物差しを提供する。【解決手段】湾曲したテープ面を有する薄い真直な鋼製等のテープＢの凸面側に目盛りを設け、その後端側６’にテープＢを凸面側に屈曲させて保持する屈曲保持手段を設けると共に、その先端側にテープ先端を保護し、かつ、必要な時に下側へ直角に開く当て板を備える先端片を結合した屈曲自在のテープＢとした。これを複数に屈曲して収納する低い長方形等の収納ケース２０と一体的にした。【選択図】図７
2017090173.tif 000002
【特許請求の範囲】
【請求項１】
湾曲したテープ面を有しその両面側を含む少なくとも一方の面側に先端部側より後端部側へ長さ目盛りを有する屈曲自在の真直なテープと、
その一側壁の下部に設けた一つのテープ挿入口と、このテープ挿入口側の側壁と対面する側に一定の間隔を置いた位置でテープ挿入口へ向かって開く曲壁面と、テープ挿入口の下面より曲壁面の下側へ伸びる下部壁面と、曲壁面の上側よりテープ挿入口側の側壁の上側に連なる壁面の少なくとも近似長方形と近似円形を含む外側壁面の外側案内手段からなる収納ケースを備えることを特徴とする物差し。
【請求項２】
湾曲したテープ面を有しその両面側を含む少なくとも一方の面側に先端部側より後端部側へ長さ目盛りを有する屈曲自在の真直なテープと、
その一側壁の下部に設けた一つのテープ挿入口と、このテープ挿入口側の側壁と対面する側の一定の間隔を置いた位置にテープ挿入口へ向かって開きテープを屈曲に案内する屈曲案内手段と、この屈曲案内手段の上側よりテープ挿入口の上側に向かって伸びる上部壁面の第一の真直空間手段と、屈曲案内手段の下側よりテープ挿入口の下面へ伸びる下部壁面の第二の真直空間手段の外側案内手段からなる近似長方形の収納ケースを備えることを特徴とする物差し。
【請求項３】
湾曲したテープ面を有しその両面側を含む少なくとも一方の面側に先端部側より後端部側へ長さ目盛りを有する屈曲自在の真直なテープと、
その一側壁の下部に設けた一つのテープ挿入口と、このテープ挿入口側の側壁と対面する側の一定の間隔を置いた位置でテープ挿入口へ向かって開く第一の屈曲案内手段と、テープ挿入口側で対面する第一の屈曲案内手段側に向かって開きテープを屈曲に案内する第二の屈曲案内手段と、第一の屈曲案内手段の上側より第二の屈曲案内手段の上側に向かって伸びる上部壁面の第一の真直空間手段と、第一の屈曲案内手段の下側より第二の屈曲案内手段の下側に向かって伸びる下部壁面の第二の真直空間手段の外側案内手段からなる近似長方形の収納ケースを備えることを特徴とする物差し。
【請求項４】
湾曲したテープ面を有しこのテープ面の両面側を含む少なくとも一方の面側に先端部側より後端部側へ長さ目盛りを有する屈曲自在の真直なテープと、
その一側壁の下部に設けた一つのテープ挿入口と、このテープ挿入口の下側を右側に伸びる下部壁面と、テープ挿入口より右側に一定の間隔を置いた下部壁面上でテープ挿入口へ向かって開きその上側へ伸びる壁面がテープの屈曲の曲率半径の円の軌跡の外側位置を囲んでテープ挿入口側の側壁に連なり下側へ伸びる壁面が下部壁面に連なる外側壁面の外側案内手段と、この外側案内手段の内側に外側案内手段と一定の間隔を置いて設けられた壁の内側案内手段からなる近似円形の収納ケースを備えることを特徴とする物差し。
【請求項５】
収納ケースの側壁の下部に設けたテープ挿入口をテープの湾曲に合致した形の上側に凸形に湾曲した孔の形に形成し、テープを凸側に屈曲して収納する収納ケースを備えることを特徴とする請求項１及び請求項２及び請求項３及び請求項４記載の物差し。
【請求項６】
上側に凸形に湾曲した孔の形に形成されたテープ挿入口の上側の壁の中央部に下向きに突出した狭い幅の突起部を設けたことを特徴とする請求項５記載の物差し。
【請求項７】
屈曲案内手段の内側に相対する屈曲案内手段と一定の間隔を置いて内側屈曲案内手段を備えることを特徴とする請求項２及び請求項３記載の物差し。
【請求項８】
収納ケース内で互いに向き合う第一の屈曲案内手段と第二の屈曲案内手段の間に各々その両端側が両屈曲案手段の相対する端部に連なる真直な壁面の上部壁面と真直な壁面の下部壁面の二つの真直案内手段からなる真直空間手段を備えることを特徴とする請求項２及び請求項３記載の物差し。
【請求項９】
上下二つの真直空間手段の内側に各々相対する真直空間手段と一定の間隔を置いて真直な壁面の上部案内面と下部案内面の二つの内側真直案内手段を有することを特徴とする請求項２及び請求項３記載の物差し。
【請求項１０】
屈曲案内手段が収納ケースの内側に設けた曲壁面の案内壁からなっていることを特徴とする請求項２及び３記載の物差し。
【請求項１１】
屈曲案内手段が収納ケースの内側のテープの屈曲面の外側に沿って並設されたローラ保持手段に回転可能に支持された複数のローラからなっていることを特徴とする請求項２及び３記載の物差し。
【請求項１２】
内側屈曲案内手段が収納ケースの内側に設けた内側ローラ保持手段により回転可能に支持された内側屈曲ローラからなっていることを特徴とする請求項７記載の物差し。
【請求項１３】
内側屈曲案内手段が収納ケースの内側に形成された曲壁面の案内壁からなっていることを特徴とする請求項７記載の物差し。
【請求項１４】
内側案内手段が収納ケースに設けた案内リング部に回転可能に保持された内側屈曲ローラからなることを特徴とする請求項４記載の物差し。
【請求項１５】
湾曲したテープ面を有しこのテープ面の両面側を含む少なくとも湾曲の凸面側に先端部側より後端部側へ長さ目盛りを有する屈曲自在の真直なテープと、
テープの先端部分の凹面側に、その先端面がテープの先端面に合致し且つテープの長手方向に直角な平面を有し、その上面側がテープの凹面側に接した面をなし、その下面側がテープの両横端の下側線に平行な面を有し、その横幅がテープの横幅に合致し結合手段によりテープ側に固定された一定長さの先端片を備えることを特徴とする物差し。
【請求項１６】
湾曲したテープを有しこのテープの両面側を含む少なくとも湾曲の凸面側に先端部側より後端部側へ長さ目盛りを有する屈曲自在の真直なテープと、
このテープの先端部分の凹面側に、その先端面がテープの先端面に合致し且つテープの長手方向に直角な平面を有し、その上面側がテープの凹面側に接した面をなし、その下面側がテープの両横端の下側線に平行な面を有し、その横幅がテープの横幅に合致しその先端面の中央部分にその両横壁にピン保持溝を備えるボス溝を有し結合手段によりテープ側に固定された先端片と、
先端片のピン保持溝に両端を支持された弾性を備える一本の支持ピンと、
その横幅が略テープの横幅ほどの略四辺形の板からなり、その板の内面側の先端部分に前記ボス溝に適合する幅で支持ピンの受け溝を有するボス部を備え、このボス部を支持ピンに支持されて前記ボス溝内に嵌り、その内面側が先端片の下面位置と先端片の先端面位置の間で直角に開閉する当て板を備えることを特徴とする物差し。
【請求項１７】
先端片の先端面の中央部分にその両横壁にピン保持溝を備えるボス溝と、ピン保持溝に両端を支持された弾性を備える一本の支持ピンと、そのボス部のピン保持溝の位置を先端片のピン保持溝の位置より当て板の内側面側に接近するように偏心に設けた当て板を備えることを特徴とする請求項１６記載の物差し。
【請求項１８】
収納ケースのテープ挿入口の上部にケース内に保持されその上部に指当て部を有し、その下部にテープ押面を有し、その内側に逆三角形状に突出するラッチ爪を有し、その外側に上方に開くように傾斜した弾性に富むフラップを有する押え板と、押え板の内側に対面する壁の下側の位置にラッチ爪に適合するラッチ溝を有し、押え板の外側に対面する壁にフラップに適合して、上方に開くように傾斜し、その上端が止まり壁になっている壁面のフラップ壁を有し押え板を上下にスライド可能にケース内に保持する押え板保持部からなるテープ止め手段を備えることを特徴とする請求項１及び請求項２及び請求項３及び請求項４記載の物差し。
【請求項１９】
湾曲したテープ面を有しこのテープ面の両面側を含む少なくとも湾曲の凸面側に先端部側より後端部側へ長さ目盛りを有する屈曲自在の真直なテープからなっており、
テープの後端より所望の部位にテープの湾曲の凸面側への屈曲を維持する屈曲保持手段を備えることを特徴とする物差し。
【請求項２０】
帯面の湾曲を他の部分より大きくした屈曲保持手段を有することを特徴とする請求項１９記載の物差し。
【請求項２１】
帯面に横の折れ目を設けた屈曲保持手段を有することを特徴とする請求項１９記載の物差し。
【発明の詳細な説明】
【技術分野】
【０００１】
本発明は、直尺及び巻尺等の概念を包含する物差しに関するものである。
本発明の物差しは、収納ケースに差し込んで収納することも出来、計測の時は収納ケースよりその一部の長さを引き出して従来の巻尺のようにして使用することも、あるいは、ケースより完全に引き抜いて従来の直尺ようにして使用することが出来る。
【背景技術】
【０００２】
これまで直尺は例えば、３０cm、６０cm、１m等の一定長さを有するステンレスの平鋼やプラスチック材などの厚みと一定の幅を有する平帯板に目盛りを彫り込み、あるいは、印刷したものなどが多い。
【０００３】
一般に、コンベックスと呼ばれている湾曲したテープを有し、自らの弾力でその真直状態を保持する薄い鋼製のテープを備える巻尺は、湾曲したテープ面の凹面側、あるいは、両面側に目盛りを備えているものである。この巻尺のテープは適当な位置で折り曲げても測ることが出来る。
【先行技術文献】
【特許文献】
【０００４】
【特許文献１】公開実用平成４−１４０３
【特許文献２】特開２００２−１３１００３
【特許文献３】特開２００７−００３４６６
【特許文献４】特開２０１２−２０２９１６
【発明の概要】
【発明が解決しようとする課題】
【０００５】
前記した従来のような直尺は、長くて重いので、硬くて平坦な面に置いた時に取り上げ難いものなどが多い。このようなことから、計測時の取扱いが不便などの欠点があった。従って、不注意で落としたりすると、直尺自体を傷めるとか、被測定物側を傷つけることもあった。さらに、例えば、３０ｃｍを越える長さになると、携帯する際や保管する際に、工具箱などに収まりが悪いなどの不便があった。
【０００６】
また、機械装置の奥まった部分の寸法を計測する時など、従来の直尺ではその狭い部分に直尺が入らず計測に困難を来たすことがしばしばあった。計測場所の広さに合った様々な長さの直尺を用意するのは大変である。
また、巻尺のテープは折り曲げて測ることが出来るので、一応何所ででも計測可能に思われるが、計測の際に不必要な重いケース部分が計測の邪魔になることは多くの技術者等が経験するところである。又、巻尺のテープは、比較的狭い部分を手際よく計測したり、目印を入れたり、罫書いたりする度に、テープを引き出したり、引っ込めたり、ロックしたり、ロックを外したりする操作を頻繁にしなければならない欠点がある。
【０００７】
物の寸法を計測する物差しは、その先端の角部が正確で明瞭であることが重要である。この薄い帯鋼で作られた物差しは、その先端部分は傷めやすい部分である。また、この先端部分が計測しようとする相手側の部分にピタリと正しく当てられるようになっていることが大事である。従来のコンベックスは、そのテープの先端部に鋼製の┏ 形の掛け片が付いている。これが先端部の保護の機能も果している。しかし、このようなコンベックスは、物の角部にテープの先端の掛け片を引っ掛けて計測するのには良いが、平たい面上にテープの先端を付けて計測しなければならない際には、掛け片が邪魔をして不都合であった。
【０００８】
これまで巻尺についての多くの提案の中に、角張った四角いリング状の収容部のケースを示し、そのケースの内側の空間部分に物品の収納部を構成することを目的としたものなどがある。これらは基本的にケースの形を要旨とする提案である。従来のコンベックスの巻尺の巻取り方式に替わるものとしてどのような形の巻尺をどのような形にしてケース内に収納するのかを巻尺の動きを具体的に示して論理的に説明した提案は未だ存在しない。
また、掛け片（フック）についても、多くの提案がなされているが、テープの凹面側でテープの先端面に合致した位置で直角に開くようにしたものは、存在しない。
【０００９】
本発明の目的は、比較的短い長さの計測に適した直尺の利点を備え、従来の直尺の前記のような欠点の少ない収納性や携帯性、並びに、計測時の取扱い易さを備える物差しを提供することである。
本発明の他の目的は、単純な構造で軽量、且つ、コンパクトな収納ケースの付いた物差しを提供することである。
本発明のさらに他の目的は、収納ケースよりテープの一部分のみを引き出して従来の巻尺のような扱い方も出来、収納ケースより完全に引き出して直尺としても使える物差しを提供することである。
本発明のさらに他の目的は、収納ケースへのテープの挿入と引き出しが、手の指先の操作で円滑、且つ、軽快に出来る物差しを提供することである。
本発明の他の目的は、極めて薄くて軽く、しかも先端部が確り保護された物差しを提供することである。
本発明のさらに他の目的は、平面上に置かれた物差しを、計測時の必要に応じてその後端側を跳ね上げて、その後端側を指先で持って取り上げることが出来る扱い易い物差しを提供することである。
本発明のさらに他の目的は、任意の位置で自由に折り曲げることが出来、ケースが邪魔にならず、狭隘な部分の計測がより行い易い物差しを提供することである。
本発明のさらに他の目的は、目盛りの付いたテープの先端を被測定物にピッタリ付けられ、測定し易い物差しを提供することである。
本発明のさらに他の目的は、テープの先端部の裏側に、測定時の必要に応じて直角に開くことが出来る開閉する当て板を備える測定し易い物差しを提供することである。
本発明のさらに他の目的は、その内側面がテープの目盛の零点の位置に合致した位置で直角に開く当て板を備える測定し易い物差しを提供することである。
【課題を解決するための手段】
【００１０】
上記の目的を達成する為に、本発明は、湾曲したテープ面を有しその両面側を含む少なくとも一方の面側に先端部側より後端部側へ長さ目盛りを有する屈曲自在の真直なテープと、その一側壁の下部に設けた一つのテープ挿入口と、このテープ挿入口側の側壁と対面する側に一定の間隔を置いた位置でテープ挿入口へ向かって開く曲壁面と、テープ挿入口の下面より曲壁面の下側へ伸びる下部壁面と、曲壁面の上側よりテープ挿入口側の側壁の上側に連なる壁面の少なくとも近似長方形と近似円形を含む外側壁面の外側案内手段からなる収納ケースを備える物差しを提供する。
【００１１】
これによりテープを収納ケース内に希望する数に屈曲して複数の真直部を形成して収納することが出来る。そして、収納されたテープは、自らは移動せずケース内に保持され、指先で任意に出し入れが出来る。テープをケース内に一部を入れたまま、あるいは、完全に抜き出して直尺のように使用することが出来る。
【００１２】
本発明はまた、テープ挿入口側の側壁と対面する側の一定の間隔を置いた位置にテープ挿入口へ向かって開きテープを屈曲に案内する屈曲案内手段と、この屈曲案内手段の上側よりテープ挿入口の上側に向かって伸びる上部壁面の第一の真直空間手段と、屈曲案内手段の下側よりテープ挿入口の下面へ伸びる下部壁面の第二の真直空間手段の外側案内手段からなる近似長方形の収納ケースにテープを少なくとも二つの真直部に屈曲して収納する物差しを提供する。
【００１３】
これにより、低い長方形の収納ケース内にテープを二つに屈曲して複数の真直部を形成して収納することが出来る。
ここで、二つの真直空間手段は、収納ケース内でのテープの真直部の長さを決める。
【００１４】
また、テープ挿入口側の側壁と対面する側の一定の間隔を置いた位置にテープ挿入口へ向かって開く第一の屈曲案内手段と、テープ挿入口側で対面する第一の屈曲案内手段側に向かって開きテープを屈曲に案内する第二の屈曲案内手段と、第一の屈曲案内手段の上側より第二の屈曲案内手段の上側に向かって伸びる上部壁面の第一の真直空間手段と、第一の屈曲案内手段の下側より第二の屈曲案内手段の下側に向かって伸びる下部壁面の第二の真直空間手段の外側案内手段からなる近似長方形の収納ケースにテープを屈曲して複数の真直部を形成して重ね巻きにして収納することが出来る物差しを提供する。
【００１５】
また、その一側壁の下部に設けた一つのテープ挿入口と、このテープ挿入口の下側を右側に伸びる下部壁面と、テープ挿入口より右側に一定の間隔を置いた下部壁面上でテープ挿入口へ向かって開きその上側へ伸びる壁面がテープの屈曲の曲率半径の円の軌跡の外側位置を囲んでテープ挿入口側の側壁に連なりその下側へ伸びる壁面が下部壁面に連なる外側壁面の外側案内手段と、この外側案内手段の内側に外側案内手段と一定の間隔を置いて設けられた壁の内側案内手段からなる近似円形の収納ケースにテープを屈曲して複数の真直部を形成して収納する物差しを提供する。
【００１６】
収納ケース内における屈曲部の数は、外側案内手段を形成している外側壁面の大きさと、内側案内手段の内側壁面の位置によって変動する。収納ケースの外側案内手段の形状は、ここに示す近似円形に限定されず、下部壁面の上方に中心を置く近似的三角形や、台形などの任意の形状とすることが出来る。
【００１７】
ここで、本発明の収納ケースを備える物差しにおいては、従来のコンベックスのように、凹面側に目盛りを有するテープをその凹面側をケースの内側向きにして挿入し、ケース内でテープを凹面側に屈曲して巻くように収納することも出来るが、側壁の下部に設けたテープ挿入口をテープの湾曲に合致した形の上側に凸形に湾曲した孔に形成し、湾曲の凸面側に長さ目盛りを有するテープの凸面側を上にして挿入し、テープを凸側に屈曲して収納することが出来る。このように収納することにより計測時にテープの凸面側を上にして被計測物に当てられるので、目盛が被計測物にピッタリ付いて計測がし易い。
【００１８】
また、上側に凸形に湾曲した挿入口の孔の上側の壁の中央部に下向きに突出した狭い幅の突起部を設けると良い。この突起部が存在することで、挿入されるテープの凸側は、その中央部の狭い部分のみがテープ挿入口の上側の穴壁に触れる。これにより目盛面側の擦過傷を中央の最小の部分に止めることが出来る。
【００１９】
近似長方形の収納ケースを備える物差しにおいては、屈曲案内手段の内側に相対する屈曲案内手段と一定の間隔を置いて少なくとも１個のローラからなる内側屈曲案内手段を設けることにより、テープの挿入端の進行の案内がより滑らかになり、その素早い挿入、引き出しを円滑にする。
【００２０】
近似長方形の収納ケースにおいては、真直空間手段は、屈曲したテープが真直ぐに伸びる空間を確保するものであって、必ずしもテープの真直部に接近した壁面である必要はない。
収納ケース内で互いに向き合う第一の屈曲案内手段と第二の屈曲案内手段の間に各々その両端側が両屈曲案手段の相対する端部に連なる真直な壁面の上部壁面と真直な壁面の下部壁面の二つの真直案内手段からなる真直空間手段とすることによりケース内を最初に屈曲案内手段に向かって進行するテープの挿入端であるテープの後端側をより安定に案内する働きをする。
真直案内手段は、外側案内手段を構成する真直空間手段の概念の内に含まれる。
【００２１】
同様に、近似長方形の収納ケースにおいては、上下二つの真直空間手段の内側に各々相対する真直空間手段と一定の間隔を置いて真直な壁面の上部案内面と下部案内面の二つの内側真直案内手段を設けると良い。
この二つの内側真直案内手段は、各々相対する側の真直案内手段と協働して、間を最初に屈曲案内手段に向かって進行するテープの後端側の振動を抑制し挿入されるテープを安定に案内する働きをする。
【００２２】
近似長方形の収納ケースにおいて、屈曲案内手段は収納ケースの内側の曲壁面を案内壁とすることで最も簡明な物差しの収納ケースを得ることが出来る。
【００２３】
また、屈曲案内手段を収納ケースの内側のテープの屈曲面の外側に沿って並設されたローラ保持手段に回転可能に支持された複数のローラとすることが望ましい。屈曲案内手段を、収納ケース内に並設された複数の回転するローラとすることで、テープの出し入れが軽快になるばかりでなく、テープの帯面への擦過傷を軽微に止めることが出来る。その結果として、テープをより多重に巻くことが可能となるので、より長いテープを収納することが出来る。
【００２４】
近似長方形の収納ケースにおいて、内側屈曲案内手段を収納ケース側に回転可能に支持された少なくとも１個の内側屈曲ローラを設けることにより、テープの挿入端の進行の案内がより円滑になり、その素早い挿入、引き出しを円滑にすることが出来る。
【００２５】
また、内側屈曲案内手段を収納ケース内の曲面の案内壁とすることで略同様の機能を果しながら物差しの簡明な収納ケースを得ることが出来る。
【００２６】
近似円形の収納ケースを備える物差しにおいて、内側案内手段が収納ケースに設けた案内リング部に回転可能に保持された内側屈曲ローラとすることで、収納ケース内で巻かれるテープの巻きの内側の動きを円滑にし、テープの挿入、引き出しの操作を楽にすることが出来る。
【００２７】
湾曲したテープ面の両面側を含む少なくとも湾曲の凸面側に長さ目盛りを有する屈曲自在のテープの物差しにおいて、テープの先端部分の凹面側に、その先端面がテープの先端面に合致し且つテープの長手方向に直角な平面を有し、その上面側がテープの凹面側に接した面をなし、その下面側がテープの両横端の下側線に平行な面を有し、その横幅がテープの横幅に合致した一定長さの先端片を結合手段により固定に設けることで、薄くて鋭利なテープの先端部が確り保護された物差しを得ることが出来る。
【００２８】
また、先端片の中央部分にその両横壁にピン保持溝を備えるボス溝を設け、
先端片のピン保持溝に両端を支持された弾性を備える一本の支持ピンと、
その横幅が略テープの横幅ほどの略四辺形の板からなり、その板の内側面の先端部分に前記ボス溝に適合する幅で支持ピンの受け溝を有するボス部を備え、
このボス部を支持ピンに支持されて前記ボス溝内に嵌り、その内側面が先端片の下面位置と先端片の先端面位置の間で直角に開閉する当て板を設けることが出来る。
当て板は通常は先端片の下面側にピッタリ接して閉じた状態で使用され、計測上に必要な時にはテープに直角に開くことが出来る。必要な時に開くことの出来る当て板を備える先端片部を設けたので、テープの先端部が保護されると共に、必要に応じて当て板を開いて計測が出来る扱い易い巻尺のテープが得られる。
【００２９】
さらに、支持ピンを強い弾性を備える硬鋼線などで作り、当て板のボス部の支持ピン受け溝の位置を支持ピンの両端を支持するピン保持溝の位置より当て板の内側面に接近するように偏心に設け、当て板装着時の支持ピンの曲がりによる弾力で当て板の内側面が先端片の下面側及び先端片の先端面側に常に強く押付けられた状態に維持するようにする。こうすることで当て板の開き時及び閉じ時での安定を保つことが出来る。
【００３０】
また、当て板のボス部の縦断面形状をその上側に位置する辺面の前後端がテープの裏面側に接する四角形の形にすることで、テープの弾力により当て板のボス部の動きを抑え、当て板のテープに直角の動きの安定を保つようにすることが出来る。
【００３１】
また、湾曲したテープ面の両面側を含む少なくとも湾曲の凸面側に長さ目盛りを有する屈曲自在の物差しに於いて、テープの後端より希望する部位にテープの湾曲の凸面側への屈曲を維持するための屈曲保持手段を設けることにより、必要なときにテープのこの部位に軽い力を加えてこの部位を屈曲させ、それを維持することが出来、取扱やすい物差しが得られる。
【００３２】
屈曲保持手段はその部分のテープ面の湾曲の曲率を他の部分の曲率より部分的に大きくすることにより得られる。この部分の湾曲を緩やかにすることにより、この部分の回復力が実質的に弱められる。
【００３３】
また、この屈曲保持手段の形成は他の方法によることが出来る。例えば、凸側のテープ面に折り跡のような横方向の僅かに窪んだ筋目をつけることによっても可能である。
【００３４】
また、本発明の収納ケースにおいても、収納ケースのテープ挿入口側の上部にテープの移動を止める止め手段を設けることが出来る。
収納ケースのテープ挿入口の上部にケース内に保持されその上部に指当て部を有し、その下部にテープ押面を有し、その内側に逆三角形状に突出するラッチ爪を有し、その外側に上方に開くように傾斜した弾性に富むフラップを有する押え板と、押え板の内側に対面する壁の下側の位置にラッチ爪に適合するラッチ溝を有し、押え板の外側に対面する壁にフラップに適合して、上方に開くように傾斜し、その上端が止まり壁になっている壁面のフラップ壁を有し押え板を上下にスライド可能にケース内に保持する押え板保持部からなるテープ止め手段を設けることが望ましい。
【００３５】
本発明は、これらの手段に加え、後述の実施形態の詳細な説明の中で明らかにするように、前述の従来の物差しの欠点や課題を解決し改善する為の手段を含む屈曲自在の物差しを提供する。
【発明の効果】
【００３６】
本発明は以上のように構成されているので、以下に記載されるような効果を奏する。
【００３７】
テープ面が湾曲した真直な目盛りテープを低い長方形などの収納ケース内に複数に屈曲して収納したり引き出したりして使用することが出来るので、直尺としての利点を有し、且つ、収納性や携帯性に優れた物差しを提供することが出来る。
【００３８】
複数に屈曲されて収納されたテープは、自らは移動せずケース内に保持され、指先で任意に出し入れが出来るので、巻き込みのバネなどのない単純な構造で軽量、且つ、コンパクトな収納ケースの付いた物差しを提供することが出来る。
テープ面が湾曲した薄くて軽くしかも先端部が確り保護された真直な目盛りテープを収納ケースより一部分のみを引き出して、あるいは、収納ケースより完全に引き出して直尺のようにして使用できるので、計測時の取扱い易さを備える物差しを提供することが出来る。
【００３９】
収納ケース内にテープの屈曲面の外側に沿って並設される複数のローラの屈曲案内手段やその内側の内側屈曲ローラなどの内側屈曲案内手段や真直空間手段内の真直な案内壁の真直案内手段を設けることなどにより、収納ケースへのテープの挿入と引き出しが、手の指先の操作で円滑、且つ、軽快に出来る物差しを提供することが出来る。
【００４０】
屈曲自在の真直な目盛りテープを収納ケースより完全に引き出して使用できるので、ケースなどが邪魔にならず、狭隘な部分の計測がより行い易い物差しを提供することが出来る。
【００４１】
湾曲の凸面側に長さ目盛りを有する屈曲自在の真直なテープの先端部分の凹面側に、一定長さの先端片を結合手段により固定に設けることで、薄くて鋭利なテープの先端部が確り保護された物差しを得ることが出来る。
【００４２】
湾曲の凸面側に長さ目盛りを有する屈曲自在の真直なテープの先端部分の凹面側にその内側面が先端片の下面位置と先端片の先端面位置の間で直角に開閉する当て板を設けることで、テープの先端部が保護されると共に、テープの凸面側を上にして被計測物に当てるので、目盛が被計測物にピッタリ付いて計測がし易い。また、必要に応じて当て板を開いて計測することも出来る扱い易い物差しを得ることが出来る。
【００４３】
湾曲の凸面側に長さ目盛りを有する屈曲自在の真直なテープの後端側の任意の部位に屈曲保持手段を設けることにより、必要なときにテープのこの部位を、凸面側に屈曲させることが出来るので、収納ケースより完全に引き出しての計測時に、取扱やすい物差しが得られる。
【００４４】
収納ケースのテープ挿入口側の上部に任意にテープの移動を止め外しし得るテープの移動止め手段を設けることにより、持ち易い、そして、計測物に当てやすいケースを持っての安定した計測が出来る。そして引き出されたテープの長さと収納ケースの長さを一体の長さとした物差しとしての使用が可能となる。
【図面の簡単な説明】
【００４５】
【図１】本発明の実施形態を示す巻尺のテープをその中央部分を切除して示す平面図
【図２】同テープの正面図
【図３】同テープの図２における[3]−[3]断面図
【図４】同テープの図２における[4]−[4]断面図
【図５】同テープの図２における[5]−[5]断面図で屈曲した屈曲保持部の断面を示す図
【図６】本発明の他の実施形態を示す収納ケースの正面図で、前後対称のケースの中央の分割面より手前側の部分を取外してケース中央より向こう側の部分を現した図
【図７】同収納ケースのテープが１回巻かれた状態を示す収納ケースの正面図で、前後対称のケースの中央の分割面より手前側の部分を取外してケース中央より向こう側の部分を現した図
【図８】同収納ケースの図６における[8]−[8]矢視図で、テープ挿入口部分を拡大して示す部分拡大図
【図９】本発明のさらに他の実施形態を示す収納ケースの正面図で、前後対称のケースの中央の分割面より手前側の部分を取外してケース中央より向こう側の部分を現した図
【図１０】本発明のさらに他の実施形態を示す収納ケースの正面図で、前後対称のケースの中央の分割面より手前側の部分を取外してケース中央より向こう側の部分を現した図
【図１１】同収納ケースの図１０における[11]−[11]断面図で、ケースの前後を一体にして示す図
【図１２】本発明のさらに他の実施形態を示す収納ケースの正面図で、前後対称のケースの中央の分割面より手前側の部分を取外してケース中央より向こう側の部分を現した図
【図１３】同収納ケースの図１２における[13]−[13]矢視図で、テープ挿入口部分をケースの前後を一体にして示す図
【図１４】本発明のさらに他の実施形態を示す収納ケースの正面図で、前後対称のケースの中央の分割面より手前側の部分を取外してケース中央より向こう側の部分を現した図
【図１５】本発明のさらに他の実施形態を示すテープの先端部分を示す平面図
【図１６】同テープの図１５における左側面図
【図１７】同テープの図１５における[17]−[17]断面図
【図１８】本発明のさらに他の実施形態を示すテープの先端側を示す平面図でテープの先端部分の一部を破断して示す図
【図１９】同テープの図１８における左側面図
【図２０】同テープの図１８における[20]−[20]断面図
【図２１】同テープの図２０における[21]部分の拡大図
【発明を実施するための形態】
【００４６】
以下、本発明の実施の形態を実施例に基づいて説明する。
【００４７】
図１〜図５の実施例は、水平な平面１上に置かれた長さ５５ｃｍの目盛を持つ物差しAを示す。この物差しAは薄い帯鋼のテープで作られており、そのテープ面は一定の曲率で上方に凸になるように湾曲している。テープAはそのテープ面の湾曲によってその真直が保たれている。このテープAは任意の位置で上下いずれの側へも屈曲させることが出来るが、放すとテープ面の湾曲による自らの回復力により真直状態に戻る。部材の弾性によってテープ面が湾曲面を回復しようとする力がテープを真直ぐに伸ばそうとする力となって作用する。テープは屈曲された時、その屈曲部の曲率はテープ面の湾曲による真直回復力の影響で、そのテープ固有の略一定の曲率を示す。曲った部分のテープの横断面形状は真直ぐになる。前記一定の曲率の円の範囲を超えると円は崩れて内部に直線部を形成するようになる。又、この湾曲したテープ面を持つテープは、湾曲の凸側には曲り難く凹側には曲り易い性質を有している。
【００４８】
テープAのテープ面には、その凸面側３に、その先端面４より後方へ目盛り５が５５ｃｍまで刻まれている。目盛り５の終わった後端側６の端は指先状の丸みが付けてある。
そして、中央の後端７は凸面側へ小さく滑らかに曲げ上げてある。
後端７より２０ｍｍ前後ほどの部位に屈曲保持部８が形成してある。テープAのこの部分の湾曲の曲率を他の部分の湾曲の曲率より僅かに大きく形成してある。この部分の湾曲を緩やかにすることにより、この部分の回復力が実質的に弱められる。この屈曲保持部８の形成は他の方法によることが出来る。例えば、凸側のテープ面に折り跡のような横方向の僅かに窪んだ筋目をつけることによっても可能である。これらの屈曲保持手段を任意の部分に任意の間隔で複数箇所設け、後端側の曲がりを調整することが出来る。この屈曲保持部８は他の部分より屈曲し易い状態にあるので、この屈曲保持部８の凸面の上側を指先で押す、あるいは、後端７を指先で持ち上げることなどにより、テープの後端側６が凸面側に跳ね上がった後端側６’ の状態になる。テープ面の他の部分の回復力はこの屈曲保持部８で途切れ、この後端側６は跳ね上がった状態で保持される。この時、屈曲保持部８の横方向の断面の形状は図５で示されるように真直になっている。屈曲保持部８の後端７よりの位置や間隔は後端側６の曲げ上げの程度によって任意に決められる。部材の回復力が弱められている屈曲保持部８は、その前後部分のテープの湾曲による回復力がこの屈曲保持部８には及ばない。それによって跳ね上がった後端側６’ は自らの力だけでは回復せず、その状態を保つことが出来る。
【００４９】
そこで、計測時には、平面上に置かれたテープＡをこの跳ね上がった後端側６’を指先で持って取り扱うことが出来るので、直尺として便利である。
テープをその凸面側を上にして被計測物に当てるので、目盛が被計測物にピッタリ付いて計測がし易い。また、任意の位置で屈曲させて計測できるので、ケースが邪魔になる狭隘な場所の寸法の計測がやり易い。
【００５０】
図６〜図８は、湾曲したテープ面を有する屈曲自在のテープを収納する収納ケースを備える物差しの実施例を示すものである。物差しBの収納ケース２０は、その正面から見た形状が左右の短辺が外側に半円形に湾曲した近似的な長方形をなしている。図に向かって右側の側壁の曲壁面２１が第一の屈曲案内手段、左側の側壁の曲壁面２２が第二の屈曲案内手段を形成している。収納ケース２０の上辺側は、第一の屈曲案内手段の曲壁面２１と第二の屈曲案内手段の曲壁面２２の各々上端側に連なる上部壁面２４の第一の真直空間手段をなし、収納ケース２０の下辺側は、曲壁面２１と曲壁面２２の各々下端側に連なる下部壁面２５の第二の真直空間手段をなしている。真直空間手段は、収納ケース２０内のテープの真直部の長さを決める。ここでは、第一の屈曲案内手段と第二の屈曲案内手段の間隔を決定づける。収納ケース２０は、これらの連なる二つの屈曲案内手段と二つの真直空間手段からなる外側案内手段によって形成されている。
【００５１】
テープ挿入口２７が左側の側壁の曲壁面２２の下側の位置に設けられている。このテープ挿入口２７は、第二の真直案内手段の下部壁面２５の左側の延長線上にこの下部壁面２５と平行に開口している。
テープ挿入口２７の形状は、図８で示すように、上側が凸になる湾曲した形の孔になっている。この実施例では、テープＢはスケール挿入口２７の形に倣って、その湾曲の凸面側を上側にして挿入され、収納ケース２０内ではテープＢは凸面側に屈曲されて巻かれる。
図８において、テープ挿入口２７の孔の上側の壁の中央部に下向きに突出した狭い幅の突起部２３が設けてある。この突起部２３存在することで、挿入されるテープは、その中央部の狭い部分のみがテープ挿入口２７の上側の穴壁に触れる。これにより目盛面側の擦過傷をテープ面中央の最小の部分に止めることが出来る。
【００５２】
この実施例の収納ケース２０には、図１〜５の実施例に示された物差しAと同じ形のテープＢが挿入されている。このテープＢの挿入側となるその後端側には屈曲保持手段を有しており、後端側が凸面側へ屈曲し易くなっている。そこで、テープ挿入口２７より挿入されたテープＢの先端は下部壁面２５に沿って進行し、その後端側が第一の屈曲案内手段の曲壁面２１に押し当たった際に、後端側６’のように曲壁面２１に倣うように屈曲して曲壁面２１によるテープＢの滑らかな屈曲を援助する作用をする。曲壁面２１によって屈曲されたテープＢの先端は上部壁面２４の内側を進行し、その後端側６’が第二の屈曲案内手段の曲壁面２２に到達する。この時、収納ケース内のテープＢは曲壁面２１側の屈曲部２８の両側、即ち、上下に真直部２９の二つの真直部を形成している。
もし、この実施例のケースの上部壁面２４と下部壁面２５、即ち、真直空間手段の長さが１５ｃｍのものであるならば、これだけでおよそ３０ｃｍのスケールを収納でき、本発明の第一の目的を達成するに充分な機能を果たしている。
【００５３】
テープの後端側６’が第二の屈曲案内手段の曲壁面２２に押し当たった際にも、同様にテープの滑らかな屈曲を援助する作用する。このように、テープの後端側の屈曲保持手段は収納ケース２０内での屈曲案内手段による屈曲を助け、収納ケース内へのテープの滑らかな挿入を助ける有効な作用する。
テープＢの挿入端側である後端側６’は、第二の屈曲案内手段の曲壁面２２を経た後、下部壁面２５上にある後に続くテープ部分の上面、即ち、巻き付けの内側に重なって共に進行しながら巻かれていく。このようにしてテープ挿入口２７より挿入される後続のテープ部分は、先に巻かれたテープ部分の外側に重なりながら順次巻かれていき、収納ケース２０内で２箇所の屈曲部２８と２箇所の真直部２９を形成して重ね巻きに収納される。図７は、図６の状態よりテープＢが１回巻き込まれた収納ケース２０内の状態を示す。
【００５４】
複数の真直部を伴って巻かれたテープＢは、テープと収納ケースの外側案内手段２６との摩擦抵抗に打ち勝つ力でテープＢを押し引きすることによってのみ、それを挿入、あるいは、引き出すことが出来、テープの引き込みのバネや、ロック装置などが不要である。また、長いテープを屈曲して軽くて低い長方形の収納ケースに収納出来る。
この実施例で示すように、テープの挿入端側に凸面側へ屈曲し易い屈曲保持手段を設けることのもう一つの有効性がこの実施形態の中に示されている。また、目盛りをテープ面の凸面側に設けたことにより、低いケースを図６のように水平に置ける計測し易い収納ケースの付いた巻尺のテープが得られる。
【００５５】
図９の実施例では、図６〜図８の実施例に示す部分と同じ部分については、同一の符号に ′を附して示すに止め、その説明を省略する。
この例では、角張った近似長方形の収納ケース３０には、図に向かって右側の側壁の内側に、テープCの屈曲面の外側に沿って、収納ケース３０側に保持されるローラ軸３１に回転可能に支持された５個のローラ３２が等間隔に並設されている。これが第一の屈曲案内手段を構成している。同様にして、左側の側壁の内側にも４個のローラ軸３１に回転可能に支持されたローラ３２からなる第二の屈曲案内手段が構成されている。
【００５６】
このように、屈曲案内手段を、屈曲面の外側に並設された複数の回転するローラとすることで、テープの出し入れが軽快になるばかりでなく、テープの帯面への擦過傷を軽微に止めることが出来る。その結果として、テープをより多重に巻くことが可能となるので、より長いテープを収納することが出来る。
【００５７】
この収納ケース３０にはテープ挿入口２７′の上部にテープCの移動を止める止め手段が設けられている。屈曲案内手段のローラ３２の外側の部位にケース内を上下にスライドする弾性に富むプラスチック材で作られた幅の狭い板状の押え板９１が設けてある。この押え板９１の上端は厚いボタン状の指当て部に形成されている。その下方側は一定幅のテープ押面９５になっている。押え板９１の内側に逆三角形状に突出するラッチ爪９２が設けてある。押え板の外側には上方に開くように傾斜し弾力に富んだフラップ９３が設けてある。一方、収納ケース３０側には、ラッチ爪９２に対面して押え板の内側の壁の下側の位置にラッチ溝９６が設けてある。また、外側の壁にはフラップ９３に適合して、上方が外側に開くように傾斜し、その上端が止まり壁になっている壁面のフラップ壁９７が形成されている。
押え板９１はそのテープ押面９５の上の部分に弾力に富んだクッション部９４を有している。このクッション部９４の部分はケースの前後方向、即ち、横方向にリムのないタイヤを立てて置いたような輪の形に形成されていて、押え板９１がこの部分で上下に伸び縮みする弾力を備えている。この他にもこの部分を弾力に富んだ材料で作ることなどによっても可能である。
【００５８】
テープのストップ操作は、押え板９１の上端の指当て部を矢印９８で示すように下に押し下げることで行われる。
指当て部を押し下げた際に、押え板の内側のラッチ爪９２がラッチ溝９６に嵌り外側のフラップ９３はフラップ壁９７の底側に押し込まれる。そこで、押え板９１はフラップ９３の弾力で内側に押され、ラッチ爪９２のラッチ溝９６への噛合いが確り維持される。テープ押面９５はクッション部９４の弾力でテープCの上面を確り押え付けてテープ挿入口２７′の下壁側との間で挟み付ける。
テープのストップ解除の操作は、押え板９１の指当て部の内側を矢印９９で示すように外側へ押すことで行われる。
指当て部の内側をフラップ９３の弾力に打ち勝って外側へ押した際に、ラッチ爪９２がラッチ溝９６から外れる。フラップ９３の外方へ向かう弾力はフラップ壁９７との間で押え板９１を上方へ押し上げようとする分力を生じており、フラップ９３の上端が止まり壁に当たるまで押え板９１を上へ押し上げる。こうしてテープ押面９５がテープCから離れテープの押え付けが解除される。
【００５９】
本発明は、テープと収納ケースを一体の物差しとしての使用も可能である。
物の面に当て易い低い長方形の収納ケース３０の長さを１０ｃｍの長さとし、収納ケースの先端からテープＣを１８ｃｍ引き出して止め手段でテープの移動を止めた時に、テープの先端から収納ケースの後端までの長さは２８ｃｍとなる。これはある物体から一定の長さを出すのに便利である。収納ケースの外壁の下部側面に目盛りを設けておくことも望ましいことである。
以下、本発明のさらに他の実施例を図１０〜図１１に基づいて説明する。
【００６０】
図１０〜図１１の実施例では、前の図９の実施例に示す部分と同じ部分については、同一の符号に ″を附して示すに止め、その説明を省略する。
この実施例では、角張った近似長方形のケース３０″に前例同様にテープC″の左右の屈曲面２８″の外側に沿って等間隔にローラ３２″並設されている。
ここで、各ローラ３２″はケース３０″の前後の壁面の内側に形成されたローラ保持溝３６にその外周部の両端側を回転可能に保持されている。
【００６１】
この部分をこのようなローラ保持手段とすることにより、部品数を少なくし、ケースの構造をさらに簡明することが出来る。
【００６２】
さらに、この実施例では、ケース３０″には、図に向かって右側の第一の屈曲案内手段より内側へ一定の間隔を置いた位置にケース３０″の前後の壁の内側に内方に突出する内側ローラ保持手段の支持突起３７が設けてあり、この支持突起３７の部分にその軸孔３３の両端を回転可能に支持された内側屈曲ローラ３４が設けられている。これが第一の内側屈曲案内手段を構成している。同様にして、左側の第二の屈曲案内手段より内側へ一定の間隔を置いた位置にもケース３０″側に同様の支持突起３７が設けてあり、内側屈曲ローラ３４からなる第二の内側屈曲案内手段が構成されている。
【００６３】
このように、各々の屈曲案内手段の内側に少なくとも１個のローラからなる内側屈曲案内手段を設けることにより、テープＣ″の挿入、引出しの案内がより円滑になり、その素早い挿入、引き出しを容易にする。
【００６４】
また、この実施例において、内側ローラ３４を回転しないようにケース３０″側に固定することも出来る。そのように実施された時には、各々の屈曲案内手段と対面する側の内側ローラ３４の外側の外周面部分はテープＣ″の内側を案内する曲壁面の案内壁として、回転するローラと略同様の機能を果たすことが出来る。
【００６５】
真直空間手段は、屈曲したテープが真直ぐに伸びる空間を確保するものであって、必ずしもテープの真直部２９″に接近した壁面である必要はない。この実施形態では、図に示すように、二つの真直空間手段は左右の屈曲案内手段の間にあって、各々その両端側が対応する右側の側壁のローラ３２″と左側の側壁のローラ３２″の内側面に滑らかに連なる真直な上部壁面３５からなる第一の真直案内手段と、真直な下側の下部壁面２５″の第二の真直案内手段を形成している。この二つの真直案内手段は、外側案内手段を構成する真直空間手段の概念の内に含まれるが、ケース内を最初に屈曲案内手段に向かって進行するテープの後端側６″をより安定に案内する働きをする。
【００６６】
また、この実施例においては、二つの真直案内手段３５及び２５″の内側に、各々相対する側の真直案内手段と一定の間隔を置いて、上部案内面３８の第一の内側真直案内手段と下部案内面３９の第二の内側真直案内手段を構成している。ここで、上部案内面３８と下部案内面３９は、各々ケース３０″の前後の壁面の内側より左右の内側ローラ３４の間に内方へ突出するリブ状の壁の外側面により形成されている。
この二つの内側真直案内手段は、各々相対する側の真直案内手段と協働して、間を最初に屈曲案内手段に向かって進行するテープの後端側６″の振動を規制して、挿入されるテープＣ″を安定に案内する働きをする。
【００６７】
屈曲自在のテープを屈曲して複数の真直部を形成して収納する本発明の収納ケースは、従来のコンベックスのように、凹面側に目盛りを有するテープをその凹面側をケースの内側向きにして挿入し、収納ケース内でテープを凹面側に屈曲して巻くように収納することも出来る。
【００６８】
図１２〜図１３は、さらに他の実施例を示す。図において、収納ケース４０は、左側の側壁部の下側に設けられたテープ挿入口４７より右側に水平に伸びる下部壁面４５の上部に中心を有する近似円形の内壁の外側壁面４１から成る外側案内手段を有する。外側壁面４１を形成している収納ケースの内壁部分は、テープＤの屈曲の曲率で描かれた屈曲円４２より充分外側に位置している。さらに、外側壁面４１の内側にこの外側壁面４１より一定の間隔を置いて内側案内手段を形成する内側壁面５０が設けられている。
図１３に示すように、テープ挿入口４７は上方が凹に湾曲した形の孔になっている。そこで、テープＤはテープ挿入口４７の形に倣って、テープ面の凹面側を上側にして挿入され、収納ケース内でテープ面の凹面側を内側にして巻かれる。
【００６９】
テープ挿入口４７より挿入されたテープＤの目盛りの後端側となる挿入端４６は、下部壁面４５に沿って進行して外側壁面４１に押し当たった後、外側壁面４１の曲壁面に沿って上方に浮き上がるように進む。その際に、挿入端４６より後方の内側部分が内側壁面５０の下側に接触する。さらにテープＤの挿入が押し進められると、テープＤは屈曲し、屈曲部５５の前後に真直部５１と真直部５２を形成して外側壁面４１に沿って進行する。挿入端４６がテープ挿入口４７側に至った際に、ケース内には真直部５１、真直部５２、真直部５３及び真直部５４の間に屈曲部５５と屈曲部５６及び屈曲部５７が形成される。テープ挿入口４７より挿入される後続のテープＤの部分は、ケース４０内にこのような形で先に巻かれたテープ部分の外側に順次巻かれていき、ケース４０内で５箇所の屈曲部と、５箇所の真直部を形成して重ね巻きに収納される。
【００７０】
ケース内におけるテープの屈曲部の数は、外側案内手段を形成している外側壁面４１の大きさと、内側案内手段の内側壁面５０の位置によって変動する。収納ケースの外側案内手段の形状は、ここに実施の形態で示した近似的な長方形や、近似的円形のみに限定されない。下部壁面４５の上方に中心を置く近似的三角形や、台形など任意の形状とすることが出来る。
【００７１】
図１４では、さらに他の実施例を示す。図において、前の図１２〜図１３の実施例に示す部分と同じ部分については、同一の符号に ′を附して示すに止め、その説明を省略する。
前の実施例と同様の近似的円形の収納ケース４０′には、外側壁面４１′の内側にこの外側壁面４１′より一定の間隔を置いた位置に曲壁面の内側案内手段を形成する内側屈曲ローラ５８が設けられている。この内側屈曲ローラ５８は、収納ケース４０′の内部に形成された案内リング部５９に回転可能に嵌っている。
この内側屈曲ローラ５８は、収納ケース内で巻かれるテープＤ′の巻きの内側の動きを円滑にし、テープの挿入、引き出しの操作を楽にする。
【００７２】
以上のような収納ケースを実現したことによって、小さくて軽く、携帯や保管に便利な物差しを提供することが出来る。
【００７３】
図１５〜１７は、湾曲したテープ面を有する薄いテープからなる物差しの先端部分における他の実施例を示す。
図において、上方に凸に湾曲しその凸面側に目盛り面を有するテープＥの凹面側である裏面側の先端部にこのテープＥの横幅に合致し、その上面側６１がテープＥの湾曲した凹面側に接して沿い、その下面側６２が平坦な面の一定の長さの先端片６０が２個の固定鋲６３で固定されている。該先端片６０の材質はプラスチックなど任意であるが、なるべくは、硬い金属のような硬質材が望ましい。
その横方向（紙面に前後方向）の断面形状はほぼ薄い割円形である。その先端面６４はテープの先端面６５に合致しており、テープＥの長手方向の帯面に直角な平面である。
この実施例では、先端片の下面側６２はテープＥの下端である両横端６６より僅かに下方へ出っ張った位置をテープＥの両横端６６と平行に伸びている。これによりこの先端片６０の横端は刃物のように鋭利には尖らない形になる。先端片の下面側６２は図のような平坦な面ばかりでなく、平坦な面以下、即ち、中央部分が幾分凹形に窪んだ形であっても良い。
テープの両横端６６と先端面６５との両角部は、小さな半径の面取り６７がなされ、薄くて弱いテープＥの鋭利な角部が除かれている。
【００７４】
この先端片６０によってテープの正確な角部が維持され、且つ、テープの先端部分が保護される。そして、先端が被計測面にピッタリと付き、正確な計測し易い物差しEを得ることが出来る。
【００７５】
図１８〜図２１は、テープの先端部分のさらに他の実施例を示す。
ここで、テープＦの先端片７０の裏側に後側より前側へ９０°開くことの出来る当て板７１が設けられている。
先端片７０は図１５〜１７の実施例に示す先端片６０と略同じ厚さと幅を有し、その先端面７４はテープＦの先端面７５と合致しており、テープＦの長手方向のテープ面に直角な平面である。その下面側７２は平坦な面をなしている。そして先端より幾分離れた後の位置をテープＦの帯面に２個の固定鋲７３で固定されている。ここでは、先端片７０の先端側の中央に一定の幅の縦のボス溝７６が設けてある。このボス溝７６の両横壁の略中央部には横方向に対称形に溝状に伸びるピン保持溝７７が設けられている。このピン保持溝７７には支持ピン７８がその両端を保持されて挿入されている。
当て板７１はテープＦと略同じ横幅の長方形の薄手の金属板である。この当て板７１はその内側面８６の先端部の中央にボス部７９を有する。このボス部７９は先端片のボス溝７６に正確に嵌る幅であり、その縦断面の形状が先端片７０の厚みの内側に適合した辺長の略四角形である。この当て板７１はそのボス部７９にピン受け溝８０を有しており、ボス部７９がボス溝７６に嵌った際に、このピン受け溝８０の中心を支持ピン７８の中央部分によって支持される。そこで、当て板７１はこの支持ピン７８を中心にして紙面に平行な縦方向の面内で９０°旋回することが出来る。
【００７６】
ここで、ボス部のピン受け溝８０の中心は支持ピンのピン保持溝の中心９０の位置から当て板の内側面８６側に偏心した位置に設けてある。そのために、支持ピン７８は常にその中央部を当て板の内側面８６側に曲げられた状態にある。
そこで、当て板７１が閉じられた際には、その内側面８６は支持ピンの弾力で先端片の下面側７２にピッタリ押付けられて接面する。
当て板７１はそれが閉じられている時は、先端片の下面側７２の下側にピッタリ重なった状態になる。そして、ボス部７９の先端側に位置する辺面８２は、先端片の先端面７４に合致している。
そして、ボス部７９の上側に位置する辺面８３の前後の端の角部は、その位置で湾曲したテープＦの先端側の下面８４にピッタリ接しており（図１９を参照）、当て板７１はその旋回方向の動きがこれによっても押えられている。
この時、ボス部７９の後方側の後辺８５は、ボス溝７６の後側の壁面８９より離れている。
先端片の下面側７２には、閉じられた当て板７１の後端８７の後ろ側の位置に指窪み８８が設けてある。この指窪み８８の部分に、指先を当てて当て板の後端８７を引き起こすことが出来る。
当て板７１が支持ピン７８を中心に開く方向に旋回する時、当て板のボス部の辺面８３の角部はテープＦの先端側の下面８４を僅かに押上げて進む。
一方、ボス部７９の後方側の辺８５は、ボス溝７６の後側の壁面８９の内側を回る。そして、９０°旋回して当て板の内側面８６が先端片の先端面７４にピッタリ接して止まる。
図２０及び図２１は、その開いた状態を仮想線で示している。当て板７１の内側面８６は先端片の先端面７４にピッタリ接し、テープＦの長手方向のテープ面に直角な平面となる。
このように当て板７１が開かれた際にも、その内側面８６は支持ピンの弾力で先端片の先端面７４にピッタリ押付けられて接面する。
このように、ここに示す実施例は、当て板７１が開閉する際に、その内側面８６を先端片７０の下面側７２、あるいは、先端面７４側に確り押し当てて保持するための手段を備えている。
支持ピン７８はピアノ線のような強い弾力に富んだ線材が望ましい。
【００７７】
この当て板７１の特徴は、９０°に開閉すること。９０°に開いた時にはその内側面８６がテープの先端面７５に合致した直角な面をなすこと。そして、閉じた時には、その内側面８６が先端片の下面側７２の下側にピッタリ重なった状態になることである。
必要な時に開くことの出来る当て板を備える先端片部を設けたので、テープの先端部が保護されると共に、必要な時だけ当て板を開いて計測が出来る扱い易い物差しが得られる。
【００７８】
日常生活における一寸した物の寸法採りのための常備品としてや、広い産業分野の技術者の必需品としての利用が見込まれる。
【符号の説明】
【００７９】
Ａ,Ｂ,Ｃ,Ｃ” ,Ｄ,D’ ,Ｅ,Ｆ-------------テープ
１--------------------平面
３--------------------凸面側
４--------------------先端面
５--------------------目盛り
６，６’ 、６”------テープの後端側
８--------------------屈曲保持部（屈曲保持手段）
２０、３０、３０”、４０、４０’、----収納ケース
２１、２２---------曲壁面（屈曲案内手段）
２３-----------------突起部
２４，２４’--------上部壁面（真直空間手段）
２５、２５’、２５”-----下部壁面（真直空間手段）
２７、２７’、２７”、４７、４７’--------テープ挿入口
２８、２８’、２８”-----屈曲面
４５、４５”--------下部壁面（真直案内手段）
５５，５６，５７’------------屈曲部
２９、２９、２９、５１、５２、５３、５４’------真直部
３１、３１’--------ローラ軸
３２、３２’、３２”--------ローラ（屈曲案内手段）
３３-----------------内側屈曲ローラの軸孔
３４-----------------内側屈曲ローラ（内側屈曲案内手段）
３５-----------------上部壁面（真直案内手段）
３６-----------------ローラ保持溝
３７-----------------支持突起３７
３８-----------------上部案内面（内側真直案内手段）
３９-----------------下部案内面（内側真直案内手段）
４１、４１’--------外側壁面（外側案内手段）
４２-----------------屈曲円
５０-----------------内側壁面（内側案内手段）
５８-----------------内側屈曲ローラ（内側案内手段）
６０、７０-----------------先端片
６２-----------------先端片の下面側
６３、７３---------固定鋲
６４、７４---------先端片の先端面
６５、７５---------テープの先端面
６７-----------------面取り
７１-----------------当て板
７２-----------------先端片部の下面側
７６-----------------ボス溝
７７-----------------ピン保持溝
７８-----------------支持ピン
７９-----------------ボス部
８０-----------------ピン受け溝
８２-----------------ボス部の先端側に位置する辺面
８３-----------------ボス部の上側に位置する辺面
８４-----------------テープの先端側の下面
８６-----------------当て板の内側面
８８-----------------指窪み
９０-----------------ピン保持溝の中心
９１-----------------押え板
９２-----------------ラッチ爪
９３-----------------フラップ
９４-----------------クッション部
９５-----------------テープ押面
９６-----------------ラッチ溝
９７-----------------フラップ壁
９８、９９----------矢印
【図１】
2017090173.tif 000003
【図２】
2017090173.tif 000004
【図３】
2017090173.tif 000005
【図４】
2017090173.tif 000006
【図５】
2017090173.tif 000007
【図６】
2017090173.tif 000008
【図７】
2017090173.tif 000009
【図８】
2017090173.tif 000010
【図９】
2017090173.tif 000011
【図１０】
2017090173.tif 000012
【図１１】
2017090173.tif 000013
【図１２】
2017090173.tif 000014
【図１３】
2017090173.tif 000015
【図１４】
2017090173.tif 000016
【図１５】
2017090173.tif 000017
【図１６】
2017090173.tif 000018
【図１７】
2017090173.tif 000019
【図１８】
2017090173.tif 000020
【図１９】
2017090173.tif 000021
【図２０】
2017090173.tif 000022
【図２１】
2017090173.tif 000023